(57)【要約】【課題】座ったままで容易にかつ確実にシャワーヘッドを戴置でき、使い勝手のよいシャワーヘッドの置き台を提供する。【解決手段】本考案によるシャワーヘッドの置き台は、シャワーヘッドが横置きされる載置部と、戴置部の一端に設けられ前後方向の両端が反り上がったストッパと、シャワーヘッドが縦置きされるホルダー部と、湯水混合栓への取付部とが備えられる。戴置部は、シャワーヘッドのホースが戴置される側に向かって傾斜して下がっている。取付部は、長尺な枠体で、その低部には長手方向に沿って、固定金具の頂部がスライド可能に挿入される開口部が設けられる。【選択図】図２
0003114255.tif 000002
【実用新案登録請求の範囲】
【請求項１】
シャワーヘッドが横置きされる載置部と、前記戴置部の一端に設けられ前後方向の両端が反り上がったストッパと、前記シャワーヘッドが縦置きされるホルダー部と、湯水混合栓への取付部とが一体構成されたことを特徴とするシャワーヘッドの置き台。
【請求項２】
前記戴置部は、前記シャワーヘッドのホースが戴置される側に向かって傾斜して下がっていることを特徴とする請求項１に記載のシャワーヘッドの置き台。
【請求項３】
前記取付部は、長尺な枠体で、その低部には長手方向に沿って、固定金具の頂部がスライド可能に挿入される開口部が設けられることを特徴とする請求項１に記載のシャワーヘッドの置き台。
【考案の詳細な説明】
【技術分野】
【０００１】
本考案は、浴室の壁に設置されたシャワー分岐栓付きの湯水混合栓に取り付けることのできるシャワーヘッドの置き台に関する。
【背景技術】
【０００２】
浴室の湯水混合栓から分岐したシャワーヘッドは、通常、立った状態で頭からシャワーを浴びることができる壁の高い位置と、腰掛けた状態でシャワーが利用できる比較的低い位置の２箇所にホルダーが取り付けられる。しかし、腰掛けた状態で、シャワーヘッドを手に持って自由に使いたい場合、低い位置といっても頭の位置よりは高い場所にあって、座ったままではシャワーヘッドに手が届かないから、中腰に立ち上がらねばならない。シャワーヘッドをあらかじめ手に持って洗髪を開始したような場合、シャワーで髪を濡らした後、両手でシャンプーを泡立てるため、シャワーヘッドを一時戻したいが、その場合も中腰にならざるを得ない。さらに、頭から水滴が落ちてくるので目を閉じた状態であるから、戻すにもシャワーヘッドのホルダー位置がすぐにわからない。そのため、ホルダーに掛け損なってシャワーヘッドが落下し破損するなど、必ずしも使い勝手が良くなかった。最近では、円筒型の腰掛から、浴室イスが設けられることが多くなっている。浴室イスの場合、ゆったりと座れるので、シャワーヘッドを手の届く位置で、容易に操作できるようにすることが、これまで以上に望まれている。
【０００３】
特許文献１には、壁に縦向きのバーを設置し、その上をスライドするホルダーを設け、該ホルダーにシャワーヘッドを係止させることが記載されている。この場合、ホルダーが動くのでシャワーヘッドを手の届く位置に低くできるが、目をつぶった状態では依然としてホルダーの位置はわかりにくい。
【特許文献１】特開２００５−４２４３７号公報
【考案の開示】
【考案が解決しようとする課題】
【０００４】
本考案の目的は、座ったままで容易にかつ確実にシャワーヘッドを戴置でき、使い勝手のよいシャワーヘッドの置き台を提供することにある。
【課題を解決するための手段】
【０００５】
上記の目的を達成するため、本考案によるシャワーヘッドの置き台は、シャワーヘッドが横置きされる載置部と、前記戴置部の一端に設けられ前後方向の両端が反り上がったストッパと、前記シャワーヘッドが縦置きされるホルダー部と、湯水混合栓への取付部とが一体構成されたことを特徴とする。
【０００６】
前記戴置部は、前記シャワーヘッドのホースが戴置される側に向かって傾斜して下がっていることが好ましい。
【０００７】
前記取付部は、長尺な枠体で、その低部には長手方向に沿って、前記固定金具の頂部がスライド可能に挿入される開口部が設けられることが好ましい。
【考案の効果】
【０００８】
本考案による請求項１のシャワーヘッドの置き台によれば、置き台を湯水混合栓に取り付けるようにしたことから、シャワーヘッドは座った位置からでも手が届く。シャワーヘッドを置く場合、シャワーヘッドを壁に並行にして、そのまま下に移動させて横置きができる。横置きとしたことから、ホルダーを探す必要がなく、目をつぶっていても置くことができる。戴置部にはストッパを設けたことから、シャワーヘッドの落下を防止できる。シャワーヘッドの縦置きができるホルダー部も設けたことから、シャワーを出放しにしておいて両手を使うような場合にも便利である。
【０００９】
本考案の請求項２によれば、戴置部が右側に下がって傾斜しているので、シャワーヘッドを戴置部の先端に引っ掛けて安定して置くことができる。また、傾斜しているので戴置部に水などが溜まることもない。
【００１０】
本考案の請求項３によれば、固定金具の頂部を挿入してスライドできる開口部を取付部の底部に設けたので、湯水混合栓に湯または水を供給する供給管に容易に取り付けることができる。また、取付部の固定位置を左右方向に調整することができる。
【考案を実施するための最良の形態】
【００１１】
以下、図面を参照して本考案によるシャワーヘッドの置き台について説明する。
【実施例１】
【００１２】
はじめに、本考案によるシャワーヘッドが戴置される湯水混合栓について説明する。図１は、湯水混合栓の一例で、その斜視図である。この湯水混合栓５０は、浴室の壁３０に取り付けられるタイプのものである。湯水混合栓５０は、湯または水の供給管３５が、壁３０から傾斜部４１を経てデッキ２７に配管される。デッキ２７で混合された湯水は、蛇口２３またはシャワーの分岐栓２４を介してシャワーヘッド２０に送られる。どちらに送水するかは、シャワー／蛇口の切り替えノブ２５で調節される。また、湯水の温度は温度調節ノブ２６で調節される。シャワーヘッド２０は、ホース２２の先端に設けられた連結部２１に接続される。シャワーヘッド２０は、通常、壁３０の中段および上段の２カ所にホルダー（図示せず）が設けられ、連結部２１がこのホルダーに係止される。
【００１３】
図２は、本考案によるシャワーヘッドの置き台の斜視図である。シャワーヘッドの置き台１００は、ここでは、図１に示すデッキ２７の供給管取付口４０に、固定金具８で取り付けられる。置き台１００は、シャワーヘッド２０が横置きに戴置される戴置部１と、シャワーヘッド２０が縦置きされるホルダー部２と、ストッパ１１と、安定してシャワーヘッド２０が置けるように、左側より右側を低くした脚部３と、長尺な枠体である取付部４とを有する。
【００１４】
取付部４は、底面の長手方向に沿って開口する開口部５が設けられる。固定金具８の頂部９は、図２の左下に示すように、Ｔ形で、この部分が矢印で示すように、取付部４に挿入される。固定金具８が、取付部４の枠体内部に挿入され、開口部５に沿ってスライドされ、デッキ２７の供給管取付口４０に達したときは、固定金具８を９０度回転させる。これにより頂部９が取付部４の枠体内に固定される。２枚の固定金具８でデッキ２７の供給管取付口４０を挟み、ボルト６とナット７で固定する。
【００１５】
戴置部１の右端、前後方向の両端面には、上方に反り上がったストッパ１１を設けている。ストッパ１１があると、シャワーヘッド２０を横置きした時、前後方向への滑り落ちを防止できる。シャワーヘッド２０を横置きする場合、シャワーヘッド２０を壁３０に並行になるようにして、そのまま下方に移動すれば、シャワーヘッド２０を置き台１００に戴置できる。シャワーヘッド２０が戴置部１の左端を越えて置かれたような場合、シャワーヘッド２０は戴置部１には乗らないが、ホース２２が戴置部１に掛け渡されるので、シャワーヘッド２０が床へ落下することは防止される。ストッパ１１は、ホース２２を誤って右方向に引っ張ったような場合でも、シャワーヘッド２０と当接して、その落下を防止できる。ストッパ１１の径は、シャワーヘッド２０を通過させない程度の径とされ、その上部は連結部２１またはホース２２の出し入れの邪魔にならないよう大きく開口させている。シャワーヘッド２０は、ストッパ１１を目安にして、これより右側に置かないようにする。脚部３は、左右で高さが異なり右側が低いので戴置部１が右下がりとなる。そのため、ホース２２がシャワーヘッド２０を下方に引くので、シャワーヘッド２０を戴置部１の左端に引っ掛けることにより安定して置くことができる。置き台１００は、左利きの人のために、図２の取り付けとは逆にして左下がりに設置することもできる。
【００１６】
ホルダー部２は、シャワーヘッド２０を縦置きにする。ホルダー部２は、その下方開口部の径より上方開口部の径の方が大きく、この形状は、図１の連結部２１の形状に合わせている。ホルダー部２は戴置部１の右端に略垂直に設けられる。戴置部１にシャワーヘッド２０を横置きした場合、ホース２２は大きく右側に湾曲するので、ホース２２がホルダー部２の開口部に入り込むことはない。
【００１７】
脚部３は一定の高さがあることが好ましい。温度調節ノブ２６がデッキ２７の上に設けられる場合もあるからである。取付部４の前後方向の両側面に、凹凸に開口した開口部が設けられてもよい。例えば、図１の供給管３５の傾斜部４１にシャワーヘッドの置き台を固定するような場合に便利である。
【産業上の利用可能性】
【００１８】
本考案は、湯水混合栓に取り付けられ、シャワーヘッドを横置きできる置き台であるから、家庭用に限らず、銭湯やホテルなどの浴場にも好適である。
【図面の簡単な説明】
【００１９】
【図１】一般的な湯水混合栓の斜視図である。
【図２】本考案によるシャワーヘッドの置き台の斜視図である。（実施例１）
【００２０】
１    戴置部
２    ホルダー部
３    脚部
４    取付部
５    開口部
６    ボルト
７    ナット
８    固定金具
９    頂部
１１    ストッパ
２０    シャワーヘッド
２１    連結部
２２    ホース
２３    蛇口
２４    シャワーの分岐栓
２５    切り替えノブ
２６    温度調節ノブ
２７    デッキ
３０    壁
３５    供給管
４０    供給管取付口
４１    供給管の傾斜部
５０    湯水混合栓
１００    置き台
【図１】
0003114255.tif 000003
【図２】
0003114255.tif 000004